(57)【要約】【課題】アレーアンテナの構造において、アンテナパネル全体としての反り等の熱変形量を削減し、アンテナ鏡面としての形状精度の向上を図る。【解決手段】適当な厚みを持つ平面板で形成された基体２と、それぞれが所定の高さを持ち、それぞれの一端部が基体２の一方の面上に固定され、所定の間隔でマトリックス状に配列された複数の台座３と、複数の台座３の各他端部にそれぞれ固定され、隣接するもの同士が所定の隙間１３を持つように配列された複数の鏡面板１とを備える。【選択図】        図１
2004357038.tif 000002
【特許請求の範囲】
【請求項１】
適当な厚みを持つ平面板で形成された基体と、
それぞれが所定の高さを持ち、それぞれの一端部が前記基体の一方の面上に固定され、所定の間隔でマトリックス状に配列された複数の台座と、
前記複数の台座の各他端部にそれぞれ固定され、隣接するもの同士が所定の隙間を持つように配列された複数の鏡面板とを備えたアレーアンテナ装置。
【請求項２】
鏡面板は、背面において隣接する鏡面板と電気的に接続し鏡面板同士の相対変形を許容する着脱構造の導電性接続部を有したことを特徴とする請求項１記載のアレーアンテナ装置。
【請求項３】
各台座は、対応する鏡面板への給電路と、当該鏡面板に対応する送受信回路ユニットの一部回路または全部とを内蔵したことを特徴とする請求項１または請求項２記載のアレーアンテナ装置。
【発明の詳細な説明】
【０００１】
【発明の属する技術分野】
この発明は、鏡面板アンテナ素子をマトリクス上に配列したアレーアンテナ装置に関するものである。
【０００２】
【従来の技術】
電波を発射し、エコー波を受信する合成開口レーダ（Ｓｙｎｔｈｅｔｉｃ  Ａｐｅｒｔｕｒｅ  Ｒａｄａｒ：ＳＡＲ）のアンテナとして、アレーアンテナが用いられている。この種のアレーアンテナ装置の構造は、平面板などの基体にアンテナ素子を構成する複数の鏡面板をマトリクス上に配列し、それぞれを基体の一方の面に直接固定して一体型構造としたものである。また、基体の他方の面（裏面）には各鏡面板に対応する送受信モジュールのユニット等が取り付けられている。この従来のアレーアンテナ装置に類似する例として、小型軽量化した一体型アンテナがある（例えば、特許文献１参照）。
【０００３】
【特許文献１】
特公平６−９５６０６号公報（図１、図２）
【０００４】
【発明が解決しようとする課題】
以上のように従来のアレーアンテナ装置は、鏡面板、基体および送受信モジュールが剛に結合された構造で、一体型パネル構造の厚み方向に対して材料が非対称となっている。周囲の熱環境下によって、鏡面板と基体の熱膨張率の差異に起因した熱変形量の違いにより、アンテナ全体として、反り等の熱変形が比較的大きく、アンテナ鏡面としての形状精度が劣化するという問題があった。また、従来のアレーアンテナ装置の一体型構造の場合、鏡面板が故障した場合、修理のためにパネル全体の改修が必要となり多くの労力を要した。
【０００５】
この発明は、上記のような問題を解決するためになされたもので、熱による影響を除去し、アンテナ鏡面としての形状精度の向上を図ったアレーアンテナ装置を得ることを目的とする。
【０００６】
【課題を解決するための手段】
この発明に係るアレーアンテナ装置は、適当な厚みを持つ平面板で形成された基体と、それぞれが所定の高さを持ち、それぞれの一端部が前記基体の一方の面上に固定され、所定の間隔でマトリックス状に配列された複数の台座と、複数の台座の各他端部にそれぞれ固定され、隣接するもの同士が所定の隙間を持つように配列された複数の鏡面板とを備えたものである。
【０００７】
【発明の実施の形態】
以下、この発明の実施の一形態を説明する。
実施の形態１．
図１はこの発明の実施の形態１によるアレーアンテナ装置の構造を示す断面図である。
図において、基体２は適当な厚みを持つ平面板または構造体で形成され、その一方の面２１の上には所定の間隔でマトリックス状に複数の台座３が配列され、各台座３の一端部が固定されている。この場合の固定の概念としては、アンテナのサイズによっては、基体２と台座３を一体成形した場合も含むものとする。各台座３は所定の高さを持ち、その他端部には、アンテナ素子となる複数の鏡面板１がその裏面１２側でそれぞれ固定される。このことにより、鏡面板１は所定の隙間１３を持って隣接し、マトリックス状に配列される。このアレーアンテナ装置は図３の外観斜視図に示されるようになる。鏡面板１の表面、すなわち鏡面１１がアレー配列される。
【０００８】
一方、基体２の背面２２側には、各アンテナ素子の鏡面板１に対応する送受信回路ユニット５が着脱可能に取り付けられている。また、台座３の内部には、鏡面板１への給電線路が設けられている。場合によっては、台座３内には受信回路ユニットの一部回路が内蔵されるようにしてもよい。
【０００９】
このアンテナ装置のパネル構造において、各鏡面板１間には隙間１３が形成され、基体２に対して各鏡面板１が台座３を介して所定の高さに持ち上げられている。したがって、各鏡面板１は相互の熱変形から独立した関係に置かれる。
【００１０】
以上のように、この実施の形態１によれば、適当な厚みを持つ平面板で形成された基体２と、それぞれが所定の高さを持ち、それぞれの一端部が基体２の一方の面２１上に固定され、所定の間隔でマトリックス状に配列された複数の台座３と、複数の台座３の各他端部にそれぞれ固定され、隣接するもの同士が所定の隙間１３を持つように配列された複数の鏡面板１とを備えているので、各鏡面板１は相互の熱変形から独立した関係に置かれ、アンテナのパネル構造全体としての反り等の熱変形量を削減し、広い使用温度範囲におけるアンテナ鏡面形状の精度を確保する効果が得られる。また、鏡面板１の個々を着脱できるようにした場合、その故障時のメンテナンス効率を図ることができる。
【００１１】
さらに、この実施の形態１によれば、各台座３は、対応する鏡面板１への給電路と、当該鏡面板１に対応する送受信回路ユニット５の一部回路または全部とを内蔵するようにした場合、アンテナパネルの単位面積あたりの実装密度が増えて電子回路の設計上の自由度を増すことができる。
【００１２】
実施の形態２．
図２はこの発明の実施の形態２によるアレーアンテナ装置の構造を示す断面図で、図において、図１と同一部分には同一符号を付し、原則としてその説明は省略する。この実施の形態２では、上記実施の形態１の構成に加え導電性スプリング６と導電性プレート７からなる導電性接続部が設けられている。
導電性スプリング６および導電性プレート７は、隣接する各鏡面板１の裏面１２に設けられている。一方の鏡面板１の導電性スプリング６が隣の鏡面板１からの導電性プレート７を挟み込み、両鏡面板間を電気的に接続する着脱構造にしている。このことにより、隣接する鏡面板１同士の相対変形を許容すると同時に、すべての鏡面板１の電位を同一にするようにしている。この例の着脱構造では、導電性接続部として導電性スプリング６と導電性プレート７を用いたが、これに限定されるものではなく、実質的に電気的に接続し鏡面板同士の相対変形を許容するものであればよい。
【００１３】
以上のように、実施の形態２によれば、鏡面板１が、背面１２において隣接する鏡面板１と電気的に接続し鏡面板同士の相対変形を許容する着脱構造の導電性接続部６，７を有するので、すべての鏡面板を同電位とすることができる。また、さらに、導電性接続部を設けたことにより、隣接する鏡面板間の隙間１３から電波が鏡面板１の背面へ進入するのを防止し、結果としてアンテナとしての電気特性を向上させる効果が得られる。
【００１４】
【発明の効果】
以上のように、この発明によれば、適当な厚みを持つ平面板で形成された基体と、それぞれが所定の高さを持ち、それぞれの一端部が基体の一方の面上に固定され、所定の間隔でマトリックス状に配列された複数の台座と、複数の台座の各他端部にそれぞれ固定され、隣接するもの同士が所定の隙間を持つように配列された複数の鏡面板とを備えるように構成したものである。したがって、各鏡面板は相互の熱変形から独立した関係に置かれて固定されるため、アンテナのパネル構造全体としての反り等の熱変形量を削減し、アンテナ鏡面の精度を確保する効果がある。
【図面の簡単な説明】
【図１】この発明の実施の形態１によるアレーアンテナ装置の構造を示す断面図である。
【図２】この発明の実施の形態２によるアレーアンテナ装置の構造を示す断面図である。
【図３】この発明の各実施の形態に係るアレーアンテナ装置の外観構造を示す斜視図である。
【符号の説明】
２  基体、３  台座、５  送受信回路ユニット、６  導電性スプリング、７  導電性プレート、１３  隙間。
【図１】
2004357038.tif 000003
【図２】
2004357038.tif 000004
【図３】
2004357038.tif 000005